(57)【要約】  【課題】通常の引き出しでは収納できないような大型の被収納物や嵩のある被収納物を収納することができ、そのような大型或いは嵩のある被収納物の保管スペースを別に確保することを要せず、しかもそのような被収納物の使用時においては、机の上にすみやかに載置して作業を行うことができ、大型或いは嵩のある被収納物を取り扱う上での作業性が非常に良好となる机を提供することを課題とする。  【解決手段】載置台、及び該載置台の裏面側に取り付けられた脚とからなる机本体と、引き出しがなく、内部に被収納物を収納可能な収納部を有し、且つ前記机本体の下側の空間部内に収納可能であるとともに、該机本体の下側の空間部の外側に移動可能に構成されたワゴンとからなることを特徴とする。【選択図】図１
0003142992.tif 000002
【実用新案登録請求の範囲】
【請求項１】
載置台（３）、及び該載置台（３）の裏面側に取り付けられた脚（４）とからなる机本体（１）と、引き出しがなく、内部に被収納物を収納可能な収納部（１０）を有し、且つ前記机本体（１）の下側の空間部（５）内に収納可能であるとともに、該机本体（１）の下側の空間部（５）の外側に移動可能に構成されたワゴン（２）とからなることを特徴とする机。
【請求項２】
ワゴン（２）の下部にキャスター（９）が設けられ、該キャスター（９）を転動させることによって、机本体（１）の下側の空間部（５）の外側にワゴン（２）が移動可能となるように構成されている請求項１記載の机。
【請求項３】
ワゴン（２）が、ワゴン本体（６）と、該ワゴン本体（６）の下面に設けられた脚部（８）とを具備し、該脚部（８）の内側であって前記ワゴン本体（６）の下側に、使用者の足部を挿入しうる空間部（１７）が形成されるように構成されている請求項１又は２記載の机。
【請求項４】
ワゴン本体（６）の下部の周囲に緩衝体（１６）が設けられている請求項１乃至３のいずれかに記載の机。
【請求項５】
ワゴン本体（６）の正面側の左右２箇所に、把手（１１）、（１１）が設けられている請求項１乃至４のいずれかに記載の机。
【請求項６】
ワゴン本体（６）の上面に開口部が形成され、該開口部を開閉する蓋体（７）が設けられている請求項１乃至５のいずれかに記載の机。
【請求項７】
ワゴン本体（６）の背面側の左右２箇所に、蓋体（７）の回動支点となる蝶番（１２）、（１２）が設けられている請求項１乃至６のいずれかに記載の机。
【請求項８】
ワゴン本体（６）の内面と蓋体（７）とに、該蓋体（７）が急激に傾倒するようなことを防止しうるソフトダウンステー（１４）が架設されている請求項１乃至７のいずれかに記載の机。
【請求項９】
ワゴン本体（６）の正面側の上部中央に、蓋体（７）の鉤となるカムロック（１５）が設けられている請求項１乃至８のいずれかに記載の机。
【請求項１０】
載置台（３）、及び該載置台（３）の裏面側に取り付けられた脚（４）とからなる机本体（１）の下側の空間部（５）内にワゴン本体（６）が収納可能であり、該ワゴン本体（６）には引き出しがなく、該ワゴン本体（６）の内部に被収納物を収納可能な収納部（１０）が形成され、且つ前記ワゴン本体（６）は、前記机本体（１）の下側の空間部（５）の外側に移動可能に構成されてなることを特徴とする机用のワゴン。
【請求項１１】
ワゴン本体（６）の下部にキャスター（９）が設けられ、該キャスター（９）を転動させることによって、机本体（１）の下側の空間部（５）の外側にワゴン本体（６）が移動可能となるように構成されている請求項１０記載の机用のワゴン。
【請求項１２】
ワゴン本体（６）の下面に脚部（８）が設けられ、該脚部（８）の内側であって前記ワゴン本体（６）の下側に、使用者の足部を挿入しうる空間部（１７）が形成されている請求項１０又は１１記載の机用のワゴン。
【請求項１３】
ワゴン本体（６）の下部の周囲に緩衝体（１６）が設けられている請求項１０乃至１２のいずれかに記載の机用のワゴン。
【請求項１４】
ワゴン本体（６）の正面側の左右２箇所に、把手（１１）、（１１）が設けられている請求項１０乃至１３のいずれかに記載の机用のワゴン。
【請求項１５】
ワゴン本体（６）の上面に開口部が形成され、該開口部を開閉する蓋体（７）が設けられている請求項１０乃至１４のいずれかに記載の机用のワゴン。
【請求項１６】
ワゴン本体（６）の背面側の左右２箇所に、蓋体（７）の回動支点となる蝶番（１２）、（１２）が設けられている請求項１０乃至１５のいずれかに記載の机用のワゴン。
【請求項１７】
ワゴン本体（６）の内面と蓋体（７）とに、該蓋体（７）が急激に傾倒するようなことを防止しうるソフトダウンステー（１４）が架設されている請求項１０乃至１６のいずれかに記載の机用のワゴン。
【請求項１８】
ワゴン本体（６）の正面側の上部中央に、蓋体（７）の鉤となるカムロック（１５）が設けられている請求項１０乃至１７のいずれかに記載の机用のワゴン。
【考案の詳細な説明】
【技術分野】
【０００１】
本考案は、通常の引き出しには収納することのできないような大型の或いは嵩のある被収納物を収納することのできる机、及びその机用のワゴンに関するものである。
【背景技術】
【０００２】
従来、机に関する考案として種々の特許出願がなされており、その一例としてたとえば下記特許文献１乃至３のようなものがある。特許文献１は机の引き出しに関する改良に係るものであり、特許文献２は収納棚付き袖ワゴンに関するものであり、特許文献３は机とワゴンデスクとの組み合わせ家具に関するものである。
【０００３】
このような机には、周知のように引き出しが設けられており、その引き出しが被収納物の収納部分となるものであり、収納スペースをより増やしたい場合に上記特許文献２の袖ワゴンや特許文献３のワゴンデスクのようなものが用いられる。
【０００４】
しかしながら、上記のような袖ワゴンやワゴンデスクは、引き出しの数を増やすことによって被収納物の収納スペースを増やすものであり、引き出しの数が増えたとしても、たとえば大型の被収納物や嵩のある被収納物を収納することはできない。
【０００５】
すなわち、机の引き出しは、本来書類や小物を収納するために用いられるものであり、大型の被収納物や嵩のある被収納物は、そもそも収納することはできないので、そのような大型或いは嵩のある被収納物を机上に載せて作業を行う場合においても、そのような被収納物の保管スペースは別に確保する必要がある。従って、そのような大型の被収納物や嵩のある被収納物を保管するために、室内の別の場所のスペースが制限を受けることとなる。
【０００６】
【特許文献１】特開平７−２３６５３０号公報
【特許文献２】特開平７−３２７７６０号公報
【特許文献３】特開平１０−９４４３６号公報
【考案の開示】
【考案が解決しようとする課題】
【０００７】
本考案は、このような点に鑑みてなされたもので、通常の引き出しでは収納できないような大型の被収納物や嵩のある被収納物を収納することができ、そのような大型或いは嵩のある被収納物の保管スペースを別に確保することを要せず、しかもそのような被収納物の使用時においては、机の上にすみやかに載置して作業を行うことができ、大型或いは嵩のある被収納物を取り扱う上での作業性が非常に良好となる机を提供することを課題とするものである。
【課題を解決するための手段】
【０００８】
本考案は、このような課題を解決するためになされたもので、載置台、及び該載置台の裏面側に取り付けられた脚とからなる机本体と、引き出しがなく、内部に被収納物を収納可能な収納部を有し、且つ前記机本体の下側の空間部内に収納可能であるとともに、該机本体の下側の空間部の外側に移動可能に構成されたワゴンとからなることを特徴とする机を提供するものである。
【０００９】
また本考案は、載置台、及び該載置台の裏面側に取り付けられた脚とからなる机本体の下側の空間部内に収納可能であり、引き出しがなく、内部に被収納物を収納可能な収納部を有し、且つ前記机本体の下側の空間部の外側に移動可能に構成されてなることを特徴とする机用のワゴンを提供するものである。
【００１０】
机本体の下側の空間部の外側にワゴンを移動可能とする手段としては、たとえばワゴンの下部にキャスターが設けられ、該キャスターを転動させる手段などが採用される。ワゴンは、好ましくは、ワゴン本体と、該ワゴン本体の下面のコーナー部に設けられた脚部とを具備し、該脚部の内側であって前記ワゴン本体の下側に、使用者の足部を挿入しうる空間部が形成されるように構成される。この場合、好ましくは、ワゴンの脚部の先端部にキャスターが設けられることになる。
【００１１】
また、ワゴン本体の下部の周囲に緩衝体を設けることも可能である。さらに、ワゴン本体の正面側の左右２箇所に、把手を設けることを可能である。さらに、ワゴン本体の上面に開口部を形成し、該開口部を開閉する蓋体を設けることも可能である。この場合、ワゴン本体の背面側の左右２箇所に、蓋体の回動支点となる蝶番を設けることが望ましい。また、ワゴン本体の内面側と蓋体の裏面側とに、該蓋体が急激に傾倒するようなことを防止しうるソフトダウンステーを架設することが望ましい。さらに、ワゴン本体の正面側の上部中央に、蓋体の鉤となるカムロックを設けることが望ましい。
【考案の効果】
【００１２】
本考案は、上述のように、載置台、及び該載置台の裏面側に取り付けられた脚とからなる机本体と、引き出しがなく、内部に被収納物を収納可能な収納部を有し、且つ前記机本体の下側の空間部内に収納可能であるとともに、該机本体の下側の空間部の外側に移動可能に構成されたワゴンとからなるものであるため、引き出しでは収納できないような大型の被収納物や嵩のある被収納物も、上記ワゴンの収納部内に収納することができ、そのように大型或いは嵩のある被収納物を収納部内に収納したワゴンを、さらに机本体の下側の空間部内に収納することで、結果的に大型或いは嵩のある被収納物を机本体の下側で保管できることとなる。
【００１３】
従って、そのような大型或いは嵩のある被収納物を机本体の上に載置して作業を行うような場合に、その被収納物をワゴンの収納部から取り出して、直ちに机本体の上に載置させることができ、そのような被収納物の使用時の作業性が非常に良好になるという効果がある。
【００１４】
また、そのような大型或いは嵩のある被収納物をワゴンの収納部内に収納し、さらにそのワゴンを机本体の下側の空間部内に収納しておくことで、そのような大型或いは嵩のある被収納物の不使用時における保管スペースを別に確保する必要がなく、従って、室内の別の場所のスペースに制限を受けることもないという利点がある。
【００１５】
さらに、ワゴン本体と、該ワゴン本体の下面のコーナー部に設けられた脚部とを具備させてワゴンを構成し、その脚部の内側であってワゴン本体の下側に、使用者の足部を挿入しうる空間部が形成されるように構成した場合には、使用者が椅子に座って机本体上で作業を行うような場合においても、机本体の下側に収納された
ワゴンの下側の空間部内に使用者自身の足部を挿入しておくことで、使用者は不自由さを感じることなく作業を行うことができる。
【００１６】
また、ワゴン本体の下部の周囲に緩衝体を設けた場合には、仮に使用者の足部が不用意にワゴン本体の下部に当たっても、上記緩衝体によって、その衝撃が緩和されるという効果がある。さらに、ワゴン本体の正面側の左右２箇所に把手を設けた場合には、その左右２箇所に設けられた把手を把持することによって、机本体の空間部の外側にワゴンを引き出して移動させる作業を容易且つすみやかに行うことができるという効果がある。
【００１７】
さらに、ワゴン本体の上面の開口部を開閉する蓋体を設けるとともに、ワゴン本体の内面側と蓋体の裏面側とにソフトダウンステーを架設した場合には、そのソフトダウンステーによって、蓋体を回動させる際に、蓋体が急激に傾倒するようなことが防止される。
【考案を実施するための最良の形態】
【００１８】
以下、本考案の実施形態について図面に従って説明する。一実施形態の机は、図１及び図２に示すように、机本体１と、ワゴン２とからなる。机本体１は、図１及び図２のように、平面略長方形状の載置台３と、該載置台３の下面側の４角コーナー部に取り付けられた４本の脚部４とを具備して構成されている。そして、該載置台３の下面側且つ４本の脚部４の内側には、前記ワゴン２を収納しうる空間部５が形成されている。尚、この机本体１には、一般の机のような引き出しが設けられてはいない。
【００１９】
ワゴン２は、図３乃至６に示すように、大型或いは嵩のある被収納物を収納するための収納部１０を内部に有する有底箱形のワゴン本体６と、該ワゴン本体６の上面の開口部を開閉する蓋体７と、該ワゴン本体６の下面側の４角コーナー部に取り付けられた４本の脚部８と、該脚部８の先端部にそれぞれ設けられたキャスター９とを具備して構成されている。被収納物としては、たとえば試作品や模型などのようなものが用いられる。
【００２０】
前記ワゴン本体６の正面側の左右２箇所には、把手１１、１１が設けられており、該ワゴン本体６の背面側の左右２箇所には、前記蓋体７の回動支点となる蝶番１２、１２が設けられている。ワゴン本体６の収納部１０内には、仕切り１３がスライド自在に設けられており、該仕切り１３の外側には、前記蓋体７が急激に傾倒するようなことを防止しうるソフトダウンステー１４が、前記ワゴン本体６の内面側と蓋体７の裏面側とに架設されている。
【００２１】
また前記ワゴン本体６の正面側の上部中央には、蓋体７の鉤となるカムロック１５が設けられている。さらに、該ワゴン本体６の下部の周囲には、スポンジゴムからなる緩衝体１６が設けられている。さらに、ワゴン２の脚部８の内側であって前記ワゴン本体６の下側に、使用者の脚部を挿入しうる空間部１７が形成されている。
尚、このワゴン２には、一般のワゴンのような引き出しが設けられていない。
【００２２】
このような構成からなる机は、一般の机と同様に、図７に示すように、机本体１の長手方向に近接して椅子１８を配置した状態で用いられる。そして使用者１９は、図８に示すように、椅子１８に座って机本体１上で作業をすることができる。この場合、机本体１の載置台３の下面側且つ４本の脚部４の内側には、空間部５が形成され、該空間部５内にワゴン２が収納されているので、そのワゴン２の位置によっては、椅子１８に座った状態で使用者１９の足にとってワゴン２が邪魔になることもある。
【００２３】
そこで、キャスター９を転動させることによって、使用者の脚部や足部がワゴン本体６に当たらないような位置に移動させる。キャスター９はロック機構（図示せず）を有し、転動させてワゴン２を移動させる場合、ロック機構を解除状態とし、キャスター９を停止させる場合には、ロック状態とすることでキャスター９が転動してワゴン２が不用意に移動するのが阻止されることとなる。
【００２４】
この場合において、ワゴン本体６の下側には、空間部１７が形成されているので、図８に示すように、ワゴン２を、机本体１の載置台３の下面側の外側に取り出さなくても、机本体１の空間部５内にワゴン２を収納したままの状態で、ワゴン本体６の下側の空間部１７内に足部２０を挿入することで、ワゴン２が使用者の足部２０の邪魔になることもなく、使用者は、通常の姿勢で作業を行うことができる。また、ワゴン本体６の下部の周囲には、スポンジゴムからなる緩衝体１６が設けられているので、仮に使用者の足部２０が不用意にワゴン本体６の下部に当たっても、上記緩衝体１６によって、その衝撃が緩和されることとなる。
【００２５】
ワゴン本体６の収納部１０内に収納される被収納物を用いて机本体１上で作業を行う場合には、先ず把手１１、１１を把持してワゴン２を机本体１の空間部５の外側に取り出し、カムロック１５を解除状態とし、蝶番１２、１２を支点として蓋体７を回動させ、蓋体７を開いてワゴン本体６の上面の開口部を開いた状態とする。この場合において、ワゴン本体６の内面側と蓋体７の裏面側とにはソフトダウンステー１４が架設されているため、このソフトダウンステー１４によって、蓋体７を回動させる際に、蓋体７が急激に傾倒するようなことを防止することができる。
【００２６】
そして、ワゴン本体６の収納部１０内に収納された被収納物を該収納部１０から取り出し、机本体１の載置台３上に載置した状態で、その載置された被収納物を取り扱う等の作業を行うことができる。
【００２７】
この場合において、机本体１には一般の机のように引き出しが設けられておらず、またワゴン２にも引き出しが設けられておらず、そのワゴン２自体が引き出しの代用として用いられる。そして、ワゴン本体６の収納部１０内には、通常の引き出しでは収納できないような大型の或いは嵩のある被収納物を収納することができるので、そのような大型の或いは嵩のある被収納物をワゴン本体６の収納部１０内に収納した状態で、ワゴン２を机本体１の下側の空間部５内に収納することができる。
【００２８】
従って、上記のような大型或いは嵩のある被収納物を常にワゴン２の収納部１０内に収納した状態で机本体１の下側で保管しておくことができるので、そのような大型或いは嵩のある被収納物の不使用時における保管スペースを別に確保する必要がなく、室内の別の場所のスペースに制限を受けることもない。
【００２９】
また、そのような大型或いは嵩のある被収納物を机本体１の載置台３上に載置して作業を行うような場合に、その被収納物をワゴン２の収納部１０から取り出して、直ちに載置台３の上に載置させることができ、そのような被収納物の使用時の作業性も非常に良好になる。
【００３０】
尚、本実施形態では、上記のように大型の或いは嵩のある被収納物をワゴン本体６の収納部１０内に収納するので、そのような被収納物はそのままワゴン本体６の収納部１０内に収納されることとなるが、被収納物の大きさに応じて、上記仕切り１３をスライドさせながら、収納部１０内を区画することもできる。
【００３１】
また、ワゴン２は、机本体１の下側以外の保管場所で保管することを不要とする趣旨から、要は、机本体１の載置台３の下側に収納されていればよく、ワゴン２の一部が載置台３や脚部の外側にはみ出すことを厳格に禁止するものではない。
【００３２】
さらに、上記実施形態では、ワゴン本体６の下面のコーナー部に脚部８を設け、その脚部８の内側であってワゴン本体６の下側に、使用者１９の足部２０を挿入しうる空間部１７を形成したため、上記のような好ましい効果が得られたが、このような空間部１７をワゴン本体６の下側に形成することは本考案に必須の条件ではない。たとえば、机本体１の載置台３の大きさに比較してワゴン２が比較的小さく形成されていれば、上記のような空間部１７を形成しなくても、ワゴン２を机本体１の下側に収納していることで、使用者の足部に支障を生じさせることもない。
【００３３】
さらに、上記実施形態では、ワゴン本体６の下面に脚部８を設け、該脚部８の先端部にキャスター９を設けて、該キャスター９を転動させることで、ワゴン２が机本体１の下側の空間部５の外側に移動可能となるように構成したが、このようにワゴン２を移動可能とする手段は、上記実施形態のキャスター９のような手段に限定されるものではない。
【００３４】
さらに、上記実施形態では、机本体１が平面略長方形状に形成されていたが、机本体１の形状は該実施形態に限定されるものではなく、他の形状に形成することも可能である。同様にワゴン２の形状も上記実施形態の平面略長方形状に限定されるものではない。さらに、机本体１の脚部４の本数や、ワゴン２の脚部８の本数も該実施形態に限定されるものではなく、机本体１やワゴン２の形状に応じて任意に変更可能である。
【００３５】
さらに、上記実施形態では、ワゴン２の正面側に把手１１を設けたため、机本体１の空間部５の外側にワゴン２を引き出して移動させる作業を、上記ワゴン本体６の正面側の左右２箇所に設けられた把手１１を把持することによって容易に行うことができるという好ましい効果が得られたが、このような把手１１を設けることは本考案に必須の条件ではない。
【００３６】
また、該実施形態では、ワゴン本体６と蓋体７とにソフトダウンステー１４を架設したため、上記のような蓋体７を閉じる際における好ましい効果が得られたが、このようなソフトダウンステー１４を設けることも本考案に必須の条件ではない。さらに、不使用時の保管の便宜上、上記のようにワゴン本体６の収納部１０を開閉する蓋体７を設け、さらに上記実施形態のようなカムロック１５を設けることが望ましいが、このようなカムロック１５や蓋体７を設けることも本考案に必須の条件ではない。
【００３７】
さらに、上記実施形態では、ワゴン本体６の下部の周囲にスポンジゴムからなる緩衝体１６を設けたため、上記のような好ましい効果が得られたが、このような緩衝体１６を設けることも本考案に必須の条件ではない。
【００３８】
さらに、被包装物の種類も上記実施形態の試作品や模型等に限定されるものではなく、その種類は問うものではない。また、本考案は上述のように大型或いは嵩のある被収納物をワゴンに収納することを主眼とするが、これに限らず、小物や書類を被収納物とすることを妨げるものではない。
【００３９】
その他、本考案の意図する範囲で任意に設計変更可能である。
【図面の簡単な説明】
【００４０】
【図１】一実施形態の机の正面図。
【図２】同側面図。
【図３】机を構成するワゴンの正面図。
【図４】同ワゴンの平面図。
【図５】同ワゴンの側面図。
【図６】同ワゴンの底面図。
【図７】使用時の机と椅子の配置状態を示す平面図。
【図８】使用時の状態を示す側面図。
【符号の説明】
【００４１】
１  机本体
２  ワゴン
３  載置台
４  脚部
５  空間部
６  ワゴン本体
８  脚部
９  キャスター
１０  収納部
【図１】
0003142992.tif 000003
【図２】
0003142992.tif 000004
【図３】
0003142992.tif 000005
【図４】
0003142992.tif 000006
【図５】
0003142992.tif 000007
【図６】
0003142992.tif 000008
【図７】
0003142992.tif 000009
【図８】
0003142992.tif 000010